(57)【特許請求の範囲】
【請求項１】
モバイルデバイスによって制御される放送受信装置において、
ディスプレイ部と、
ポインタの動きを制御するための第１制御命令を受信し、前記ポインタが前記ディスプレイ部にディスプレイされる画面内の文字入力領域に位置すると、文字入力モードに対応する情報を前記モバイルデバイスに伝送し、前記モバイルデバイスから前記文字入力モードに対応するユーザＵＩウィンドウを通じて入力される第２制御命令を受信する通信インターフェース部と、
前記ポインタを前記ディスプレイ部にディスプレイされる画面内の文字入力領域に位置させ、前記受信された第２制御命令に基づいて前記文字入力領域に文字をディスプレイする制御部と、
を含む放送受信装置。
【請求項２】
複数の動作モードのうち、現在の動作モードを判断するモード判断部を更に含み、
前記通信インターフェース部は、
双方向通信を通じて前記判断された動作モードに対応する情報をモバイルデバイスに伝送し、前記モバイルデバイスから制御命令を受信し、
前記制御部は、
前記モバイルデバイスから受信された制御命令に応じて、前記判断された動作モードのサービスを提供することを特徴とする請求項１に記載の放送受信装置。
【請求項３】
前記モード判断部は、
前記モバイルデバイスの制御命令が、サービスの提供されるＵＩウィンドウの予め設定された領域への位置変動命令である場合、動作モードが変更されたと判断することを特徴とする請求項２に記載の放送受信装置。
【請求項４】
前記制御部は、前記モバイルデバイスに対して固有識別コードを付与し、
前記通信インターフェース部は、前記放送受信装置と前記モバイルデバイスとの間に伝達される情報及び前記モバイルデバイスの制御命令を前記固有識別コードを用いて暗号化して送受信することを特徴とする請求項２に記載の放送受信装置。
【請求項５】
前記動作モードのサービス画面を表示するディスプレイ部と、
前記動作モードに対応する複数のＵＩウィンドウを保存する保存部と、
を更に含み、
前記制御部は、
前記モード判断部で判断された動作モードに対応するＵＩウィンドウを前記情報に含めて前記モバイルデバイスに転送するように、前記通信インターフェース部を制御することを特徴とする請求項２に記載の放送受信装置。
【請求項６】
前記制御部は、
現在の動作モードが文字入力モードである場合、前記モバイルデバイスから入力される文字をリアルタイムで又はまとめて受信して表示するように前記ディスプレイ部を制御することを特徴とする請求項２に記載の放送受信装置。
【請求項７】
複数個の動作モードを支援する放送受信装置を制御するモバイルデバイスにおいて、
前記放送受信装置にディスプレイされるポインタを動かすための第１ユーザ入力を受信する第１ユーザインターフェース画面をディスプレイし、文字入力のための第２ユーザ入力を受信する第２ユーザインターフェース画面をディスプレイするディスプレイ部と、
前記第１ユーザ入力に対応する第１制御命令及び前記第２ユーザ入力に対応する第２制御命令を前記放送受信装置に送信する通信インターフェース部と、
前記放送受信装置にディスプレイされるポインタが予め設定された領域に位置すると、前記放送受信装置から受信された文字入力モードに対応する情報に基づいて前記第２ユーザインターフェース画面を前記ディスプレイ部を介してディスプレイするように制御する制御部と、
を含むモバイルデバイス。
【請求項８】
前記通信インターフェース部は、
双方向通信を通じて前記複数個の動作モードのうち、現在の動作モードに対応する情報を受信し、
前記制御部は、
前記動作モードに対応するＵＩウィンドウを通じて入力された制御命令を前記放送受信装置に伝送するように前記通信インターフェース部を制御することを特徴とする請求項７に記載のモバイルデバイス。
【請求項９】
前記通信インターフェース部は、前記放送受信装置から固有識別コードを受信し、前記受信された情報及び前記伝送する制御命令を前記固有識別コードを用いて暗号化して送受信することを特徴とする請求項８に記載のモバイルデバイス。
【請求項１０】
前記制御部は、前記動作モードに対応するＵＩウィンドウを前記ディスプレイ部に表示することを特徴とする請求項８に記載のモバイルデバイス。
【請求項１１】
前記通信インターフェース部は、
前記放送受信装置の現在の動作モードのサービスに関連した情報を受信し、前記受信されたサービスに関連した情報を前記現在の動作モードに対応されるＵＩウィンドウと共に表示することを特徴とする請求項８に記載のモバイルデバイス。
【請求項１２】
前記制御部は、
現在の動作モードが文字入力モードである場合、前記ＵＩウィンドウから入力される文字をリアルタイムで又はまとめて送信するように前記通信インターフェース部を制御することを特徴とする請求項９に記載のモバイルデバイス。
【請求項１３】
モバイルデバイスによって制御される放送受信装置のサービス提供方法において、
前記放送受信装置が、ポインタをディスプレイするステップと、
前記放送受信装置が、前記ポインタの動きを制御するための第１制御命令を受信し、前記第１制御命令に基づいて前記ポインタを動かすステップと、
前記ポインタが文字入力領域に位置すると、前記放送受信装置が、文字入力モードに対応する情報を前記モバイルデバイスに伝送するステップと、
前記放送受信装置が、前記モバイルデバイスから前記文字入力モードに対応するユーザＵＩウィンドウを通じて入力される第２制御命令を受信するステップと、
前記放送受信装置が、前記受信された第２制御命令に基づいて前記文字入力領域に文字をディスプレイするステップと、
を含むサービス提供方法。
【請求項１４】
前記放送受信装置が、複数の動作モードのうち、現在の動作モードを判断するステップと、
前記放送受信装置が、双方向通信を通じて前記判断された動作モードに対応する情報をモバイルデバイスに伝送するステップと、
前記放送受信装置が、前記モバイルデバイスから制御命令を受信するステップと、
前記放送受信装置が、前記モバイルデバイスから受信した制御命令に応じて、前記判断された動作モードのサービスを提供するステップと、
を更に含むことを特徴とする請求項１３に記載のサービス提供方法。
【請求項１５】
前記現在の動作モードを判断するステップは、
前記モバイルデバイスの制御命令が、サービスの提供されるＵＩウィンドウの予め設定された領域への位置変動命令である場合、動作モードが変更されたと判断することを特徴とする請求項１４に記載のサービス提供方法。
【請求項１６】
前記伝送するステップは、前記モバイルデバイスに対して付与された固有識別コードを転送し、
前記放送受信装置と前記モバイルデバイスとの間に伝達される情報及び前記受信された制御命令は、前記固有識別コードを用いて暗号化されることを特徴とする請求項１４に記載のサービス提供方法。
【請求項１７】
モバイルデバイスにおける複数個の動作モードを支援する放送受信装置の制御方法において、
前記モバイルデバイスが、前記放送受信装置にディスプレイされるポインタを動かすための第１ユーザ入力を受信する第１ユーザインターフェース画面をディスプレイするステップと、
前記モバイルデバイスが、前記第１ユーザ入力に対応する第１制御命令を前記放送受信装置に伝送するステップと、
前記モバイルデバイスが、前記放送受信装置にディスプレイされるポインタが文字入力領域に位置すると、前記放送受信装置から文字入力モードに対応する情報を受信するステップと、
前記受信された文字入力モードに対応する情報に基づいて、文字入力のための第２ユーザ入力を受信する第２ユーザインターフェース画面をディスプレイするステップと、
前記モバイルデバイスが、前記第２ユーザ入力に対応する第２制御命令を前記放送受信装置に送信するステップと、
を含む放送受信装置の制御方法。
【発明の詳細な説明】
【技術分野】
【０００１】
本発明は、放送受信装置、モバイルデバイス、サービス提供方法及び放送受信装置の制御方法に関し、より詳細には放送受信装置から提供される動作モードを受信し、これを用いてモバイルデバイスで放送受信装置を制御できる放送受信装置、モバイルデバイス、サービス提供方法及び放送受信装置の制御方法に関する。
【背景技術】
【０００２】
最近、データ転送技術の発達が加速し、映像媒体を用いた両方向のデータ転送ができるようになった。そして、最近の放送受信装置はインターネット機能が追加されたことで、ユーザはより多様なサービスが受けられるようになった。
【０００３】
これにより、放送受信装置に文字を入力しなければならない場合が増えてきたが、普通のリモコンを使って文字を入力することは容易ではなかった。具体的に、ユーザがリモコンを使って文字を入力するためには、文字に該当するリモコンのボタンを押して、所望の文字が入力されたかを遠く離れた映像媒体を通じて確認しなければならないという点から、ユーザは分離された視線で文字入力動作を行わなければならないという問題点があった。
【０００４】
なお、最近の放送受信装置は、放送受信のみならず多様なサービスを付加して提供するが、従来のリモコンは一律な入力キーで構成されている点から、ユーザの便宜性を向上させるように、各々のサービスに最適した入力方法が要求されている。
【先行技術文献】
【特許文献】
【０００５】
【特許文献１】韓国特開２００７−００５７５０２号公報
【特許文献２】日本特開２００２−７８０４２号公報
【特許文献３】日本特開１９９７−２３７１４５号公報
【特許文献４】日本特開２００６−１３５６０号公報
【発明の概要】
【発明が解決しようとする課題】
【０００６】
本発明は、放送受信装置から提供される動作モードを受信し、これを用いてモバイルデバイスで放送受信装置を制御できる放送受信装置、モバイルデバイス、サービス提供方法及び放送受信装置の制御方法を提供することを目的とする。
【課題を解決するための手段】
【０００７】
以上のような目的を達成するための本発明の一実施例に係る放送受信装置は、モバイルデバイスによって制御される放送受信装置において、ディスプレイ部と、ポインタの動きを制御するための第１制御命令を受信し、前記ポインタが前記ディスプレイ部にディスプレイされる画面内の文字入力領域に位置すると、文字入力モードに対応する情報を前記モバイルデバイスに伝送し、前記モバイルデバイスから前記文字入力モードに対応するユーザＵＩウィンドウを通じて入力される第２制御命令を受信する通信インターフェース部と、前記ポインタを前記ディスプレイ部にディスプレイされる画面内の文字入力領域に位置させ、前記受信された第２制御命令に基づいて前記文字入力領域に文字をディスプレイする制御部と、を含む。
【０００８】
この場合、前記動作モードは、ＴＶ視聴モード、映画モード、ゲームモード、インターネットモード、文字入力モードのうち、少なくとも１つのモードであることが望ましい。
【０００９】
一方、前記モード判断部は、前記モバイルデバイスの制御命令が、サービスの提供されるＵＩウィンドウの予め設定された領域への位置変動命令である場合、動作モードが変更されたと判断することが望ましい。
【００１０】
一方、前記制御部は、前記モバイルデバイスに対して固有識別コードを付与し、前記通信インターフェース部は、前記判断された動作モード及び前記モバイルデバイスの制御命令を前記固有識別コードに暗号化して送受信することが望ましい。
【００１１】
一方、本放送受信装置は、前記動作モードのサービス画面を表示するディスプレイ部及び前記動作モードに対応する複数のＵＩウィンドウを保存する保存部を更に含み、前記制御部は、前記モード判断部で判断された動作モードに対応するＵＩウィンドウを前記モバイルデバイスに転送するように、前記通信インターフェース部を制御することが望ましい。
【００１２】
この場合、前記制御部は、複数のモバイルデバイスに相互に異なるＵＩウィンドウを転送するように前記通信インターフェース部を制御することが望ましい。
【００１３】
一方、本放送受信装置は、前記動作モードのサービス画面を表示するディスプレイ部を更に含み、前記制御部は、現在の動作モードが文字入力モードである場合、前記モバイルデバイスから入力される文字をリアルタイムで又はまとめて受信して表示するように前記ディスプレイ部を制御することが望ましい。
【００１４】
一方、本実施例に係るモバイルデバイスは、両方向通信を通じて前記複数個の動作モードのうち現在の動作モードに対する情報を受信する通信インターフェース部、前記受信された動作モードに対応されるＵＩウィンドウを表示し、前記放送受信装置に対する制御命令が入力されるユーザインターフェース部及び前記入力される制御命令を前記放送受信装置に転送するように、前記通信インターフェース部を制御する制御部を含む。
【００１５】
この場合、前記動作モードは、ＴＶ視聴モード、映画モード、ゲームモード、インターネットモード、文字入力モードのうち、少なくとも１つのモードであることが望ましい。
【００１６】
一方、前記通信インターフェース部は、前記放送受信装置から固有識別コードを受信し、前記現在の動作モードに対する情報及び前記制御命令を前記固有識別コードに暗号化して送受信することが望ましい。
【００１７】
一方、前記通信インターフェース部は、前記現在の動作モードに対応するＵＩウィンドウを受信し、前記制御部は、前記受信されたＵＩウィンドウを前記ユーザインターフェース部に表示することが望ましい。
【００１８】
一方、前記通信インターフェース部は、前記放送受信装置の現在の動作モードのサービスに関連した情報を受信し、前記受信されたサービスに関連した情報を前記現在の動作モードに対応されるＵＩウィンドウと共に表示することが望ましい。
【００１９】
一方、前記制御部は、現在の動作モードが文字入力モードである場合、前記ユーザインターフェース部から入力される文字をリアルタイムで又はまとめて送信するように前記通信インターフェース部を制御することが望ましい。
【００２０】
一方、本実施例に係るサービス提供方法は、前記動作モードのうち現在の動作モードを判断するステップ、両方向通信を通じて前記判断された動作モードをモバイルデバイスに転送するステップ、前記モバイルデバイスから制御命令を受信するステップ及び前記モバイルデバイスから受信した制御命令に従って、前記選択された動作モードのサービスを提供するステップを含む。
【００２１】
この場合、前記動作モードは、ＴＶ視聴モード、映画モード、ゲームモード、インターネットモード、文字入力モードのうち、少なくとも１つのモードであることが望ましい。
【００２２】
一方、前記現在の動作モードを判断するステップは、前記モバイルデバイスの制御命令が、サービスの提供されるＵＩウィンドウの予め設定された領域への位置変動命令である場合、動作モードが変更されたと判断することが望ましい。
【００２３】
一方、前記転送するステップは、前記モバイルデバイスに対して付与された固有識別コードを転送し、前記判断された動作モード及び前記受信された制御命令は、前記固有識別コードに暗号化されることが望ましい。
【００２４】
一方、前記転送するステップは、前記判断された動作モードに対応する予め保存されたＵＩウィンドウを前記モバイルデバイスに転送することが望ましい。
【００２５】
この場合、前記転送するステップは、複数のモバイルデバイスに相互に異なる予め保存されたＵＩウィンドウを転送することが望ましい。
【００２６】
一方、本実施例に係る放送受信装置の制御方法は、両方向通信を通じて前記複数個の動作モードのうち現在の動作モードに対する情報を受信するステップ、前記受信された動作モードに対応されるＵＩウィンドウを表示するステップ、前記放送受信装置に対する制御命令が入力されるステップ及び前記入力された制御命令を前記放送受信装置に転送するステップを含む。
【００２７】
この場合、前記動作モードは、ＴＶ視聴モード、映画モード、ゲームモード、インターネットモード、文字入力モードのうち、少なくとも１つのモードであることが望ましい。
【００２８】
一方、前記受信するステップは、前記放送受信装置から固有識別コードを受信し、前記現在の動作モードに対する情報及び前記制御命令は、前記固有識別コードに暗号化されることが望ましい。
【００２９】
一方、前記受信するステップは、前記現在の動作モードに対応するＵＩウィンドウを受信し、前記表示するステップは、前記受信されたＵＩウィンドウを前記ユーザインターフェース部に表示することが望ましい。
【００３０】
一方、前記受信するステップは、前記放送受信装置の現在の動作モードのサービスに関連した情報を受信し、前記表示するステップは、前記受信されたサービスに関連した情報を前記現在の動作モードに対応されるＵＩウィンドウと共に表示することが望ましい。
【図面の簡単な説明】
【００３１】
【図１】本発明の一実施例に係るホームネットワークシステムの構成を示したブロック図である。
【図２】本実施例に係るホームネットワークシステムの接続例を示した図である。
【図３Ａ】放送受信装置及びモバイルデバイスの動作を説明するための図である。
【図３Ｂ】放送受信装置及びモバイルデバイスの動作を説明するための図である。
【図３Ｃ】放送受信装置及びモバイルデバイスの動作を説明するための図である。
【図３Ｄ】放送受信装置及びモバイルデバイスの動作を説明するための図である。
【図３Ｅ】放送受信装置及びモバイルデバイスの動作を説明するための図である。
【図３Ｆ】放送受信装置及びモバイルデバイスの動作を説明するための図である。
【図３Ｇ】放送受信装置及びモバイルデバイスの動作を説明するための図である。
【図４Ａ】本実施例に係る放送受信装置における文字入力方法を説明するための図である。
【図４Ｂ】本実施例に係る放送受信装置における文字入力方法を説明するための図である。
【図４Ｃ】本実施例に係る放送受信装置における文字入力方法を説明するための図である。
【図４Ｄ】本実施例に係る放送受信装置における文字入力方法を説明するための図である。
【図４Ｅ】本実施例に係る放送受信装置における文字入力方法を説明するための図である。
【図４Ｆ】本実施例に係る放送受信装置における文字入力方法を説明するための図である。
【図４Ｇ】本実施例に係る放送受信装置における文字入力方法を説明するための図である。
【図５Ａ】本実施例に係る放送受信装置における文字入力方法を説明するための図である。
【図５Ｂ】本実施例に係る放送受信装置における文字入力方法を説明するための図である。
【図５Ｃ】本実施例に係る放送受信装置における文字入力方法を説明するための図である。
【図５Ｄ】本実施例に係る放送受信装置における文字入力方法を説明するための図である。
【図６】本発明の一実施例に係るサービス提供方法を説明するためのフローチャートである。
【図７】本発明の一実施例に係る放送受信装置の制御方法を説明するためのフローチャートである。
【発明を実施するための形態】
【００３２】
以下で、添付図面を参照して本発明について詳しく説明する。
【００３３】
図１は、本発明の一実施例に係るホームネットワークシステムの構成を示したブロック図である。図１を参考にすれば、ホームネットワークシステム１０００は放送受信装置１００及びモバイルデバイス２００を含む。放送受信装置１００は複数個の動作モードを支援し、ユーザに映像又は映像／音声情報を提供する装置として、デジタルＴＶ、ＳＴＢ(Ｓｅｔ  Ｔｏｐ  Ｂｏｘ)、ＰＣ、ノートパソコン、ＰＭＰ等で実現されることができる。ここで動作モードは、ＴＶ視聴モード、映画モード、ゲームモード、インターネットモード、文字入力モード等のような放送受信装置１００で支援するサービスの例である。具体的に放送受信装置１００は、ディスプレイ部１１０、保存部１２０、モード判断部１３０、通信インターフェース部１４０及び制御部１５０を含むことができる。
【００３４】
ディスプレイ部１１０は、放送受信装置１００から提供される情報を表示することができる。ディスプレイ部１１０はタッチパッド等のように入力と出力とが同時に実現される装置で実現されることもでき、ＬＣＤ、ＰＤＰ、ＣＲＴ等のような映像表示装置でも良い。これにより、ユーザには放送受信装置１００から提供されるサービス画面が提供されることができる。一方、放送受信装置１００がデジタルＴＶのような装置である場合、ディスプレイ部１１０は内部の構成で良く、放送受信装置１００がセットトップボックス (Ｓｅｔ  ｔｏｐ  ｂｏｘ)である場合、ディスプレイ部１１０は外部装置(例えば、セットトップボックスに接続されたモニター又はＴＶ)でも良い。
【００３５】
保存部１２０は、放送受信装置１００で支援する各種サービスに対応されるコンテンツを保存することができ、後述の動作モードに対応する複数のＵＩウィンドウを保存することができる。このような保存部１２０は放送受信装置１００内の保存媒体及び外部の保存媒体、例えば、ＵＳＢメモリーを含めたＲｅｍｏｖａｂｌｅ  Ｄｉｓｋ、別途のホスト(Ｈｏｓｔ)に接続された保存媒体、ネットワークを通じたウェブサーバ(Ｗｅｂ  ｓｅｒｖｅｒ)等で実現されることができる。
【００３６】
モード判断部１３０は、複数の動作モードのうち現在の動作モードを判断する。上述のように、放送受信装置１００は、ＴＶ視聴モード、映画モード、ゲームモード、インターネットモード、文字入力モード等のような複数個の動作モードを支援するため、モード判断部１３０は現在放送受信装置１００の提供するサービスを把握して複数個の動作モードのうち現在の動作モードで動作するかを把握することができる。このようなモード判断部１３０の動作は、リアルタイムで行われることができ、ユーザの制御動作に対応して行われることもできる。
【００３７】
そして、モバイルデバイス２００の制御命令が、サービスの提供されるＵＩウィンドウの予め設定された領域への位置変動命令であれば、モード判断部１３０は動作モードが変更されたと判断することができる。例えば、インターネットモードで動作する放送受信装置１００で、ユーザが検索又はログインのような動作を行うために指示領域(マウス又はポインターが指す領域)を文字入力の必要な領域(ログイン領域、検索単語の入力領域)に移動した場合、モード判断部１３０は現在の動作モードを文字入力モードに変更することができる。なお、文字入力モードの動作が完了した場合、又はユーザが文字入力の必要な領域外に指示領域を移動した場合、モード判断部１３０は現在の動作モードを、文字入力モードからインターネットモードに変更することができる。
【００３８】
通信インターフェース部１４０は、両方向通信を通じて判断された動作モードをモバイルデバイス２００に転送し、モバイルデバイス２００から制御命令を受信する。具体的に、通信インターフェース部１４０はモバイルデバイス２００と両方向通信を通じて接続され、モード判断部１３０で判断された動作モードを転送することができる。そして、通信インターフェース部１４０はモバイルデバイス２００からユーザの制御命令を受信することができる。この時、通信インターフェース部１４０は、ユーザの制御命令に対応して応答信号(ＡＣＫ)をモバイルデバイス２００に送信することができる。ここで両方向通信とは、ＢＴ(ＢｌｕｅＴｏｏｔｈ（登録商標）)、ＲＦ(Ｒａｄｉｏ  Ｆｒｅｑｕｅｎｃｙ)、ＷＩ−ＦＩ(Ｗｉｒｅｌｅｓｓ  Ｆｉｅｄｌｉｔｙ)、ＨＤＭＩ（登録商標）−ＣＥＣ(Ｈｉｇｈ  Ｄｅｆｉｎｉｔｉｏｎ  Ｍｕｌｔｉｍｅｄｉａ  Ｉｎｔｅｒｆａｃｅ)、Ｗｉｒｅｌｅｓｓ  ＨＤＭＩ−ＣＥＳ等現存する全ての通信技術と、未来の全ての両方向通信技術を含むことができる。そして、通信インターフェース部１４０は、モバイルデバイス２００とＵＰｎＰ規格で通信することができる。
【００３９】
制御部１５０は、モバイルデバイス２００から受信された制御命令に従って、判断された動作モードのサービスを提供することができる。具体的に、制御部１５０は通信インターフェース部１４０から受信したユーザの制御命令に対応してサービス動作又はサービス状態を変換してサービスを提供することができる。例えば、放送受信装置１００がＴＶ視聴モードで動作している場合に、「ＴＶチャネルアップ」の制御命令をモバイルデバイス２００から受信すると、制御部１５０はＴＶチャネルの変更されたＴＶサービスを提供することができる。そして、放送受信装置１００が映画モードで動作している場合に、「音量ダウン」の制御命令を受信すると、制御部１５０は提供される映画サービスの音量を小さくして映画サービスを提供することができる。
【００４０】
そして、制御部１５０はモバイルデバイス２００から入力される文字をリアルタイムで又はまとめて受信して表示することができる。具体的に、放送受信装置１００の動作モードが文字入力モードである場合、モバイルデバイス２００からユーザの入力した文字をリアルタイムで又はまとめて受信することができる。従って、制御部１５０はこれに対応されるように受信した文字が表示されるようにディスプレイ部１１０を制御することができる。この時、転送される文字は、直接的な「文字」コードでよく、ユーザがモバイルデバイス２００で文字を入力するために押した文字に対応される「数字」コード(例えば、携帯電話でアルファベットｂに対応される数字「２２」)でも良い。
【００４１】
そして、制御部１５０はモバイルデバイス２００に対して固有識別コードを付与することができる。放送受信装置１００には複数のモバイルデバイス２００が接続されることができ、各々を区別するために複数のモバイルデバイス２００の各々に固有識別コードを付与することができる。この場合、制御部１５０はセキュリティのために放送受信装置１００とモバイルデバイス２００との間に伝達される情報を、付与された固有識別コードを用いて暗号化して転送されるように、通信インターフェース部１４０を制御することができる。実現時には、モバイルデバイス２００の固有識別コードにユーザ暗号等を付加して暗号化することもできる。
【００４２】
そして、制御部１５０は、モード判断部１３０で判断された動作モードに対応するＵＩウィンドウをモバイルデバイス２００に転送することができる。具体的に、制御部１５０は、モード判断部１３０で判断された動作モードに対応するＵＩウィンドウを保存部１２０から抽出してモバイルデバイス２００に転送するように、通信インターフェース部１４０を制御することができる。例えば、モバイルデバイス２００が動作モードに対応するＵＩウィンドウを備えていなかったり、現在放送受信装置１００がユーザ毎に異なるＵＩウィンドウを通じてゲーム(例えば、ポーカーゲーム、花札ゲーム)が行われるべきサービスを提供している場合、制御部１５０は各々の動作モードに対応されるＵＩウィンドウをモバイルデバイス２００に提供することができる。この場合、制御部１５０は、複数のモバイルデバイスに相互に異なるＵＩウィンドウが転送されるように通信インターフェース部１４０を制御することができる。この時、転送されるＵＩウィンドウは保存部１２０に予め保存されたＵＩウィンドウで良く、保存部１２０に予め保存されたイメージを組み合わせて新たに生成したＵＩウィンドウでも良い。
【００４３】
そして、制御部１５０は現在の動作モードのサービスに関連した情報をモバイルデバイス２００に伝達することができる。具体的に、制御部１５０は放送受信装置１００の動作制御過程においてユーザに役立つ情報、例えば現在のチャネル情報、現在の音量の大きさ、プレイ時間、再生の残り時間、現在時刻、ＥＰＧ(Ｅｌｅｃｔｒｏｎｉｃ  Ｐｒｏｇｒａｍ  Ｇｕｉｄｅ)等をモバイルデバイス２００に伝達することができる。このようなサービスに関連した情報を伝達する動作は、動作モードをモバイルデバイス２００に伝達する過程中に行われることができ、ユーザの制御命令に対応したＡＣＫ信号を転送する過程で行われることができ、予め設定された周期で行われることができる。
【００４４】
モバイルデバイス２００は、放送受信装置１００と両方向通信を通じて各種情報を送受信する装置として、携帯電話、ＭＰ３、ＰＭＰ、ナビゲーション、デジタルフォトフレーム等で実現されることができる。具体的に、モバイルデバイス２００は通信インターフェース部２１０、ユーザインターフェース部２２０、保存部２３０及び制御部２４０を含むことができる。
【００４５】
通信インターフェース部２１０は、両方向通信を通じて複数個の動作モードのうち現在の動作モードに対する情報を受信する。具体的に、通信インターフェース部２１０は両方向通信を通じて放送受信装置１００と接続され、ＵＰｎＰ通信規格のような通信規格を通じて放送受信装置１００の動作モードを受信することができる。そして、通信インターフェース部２１０は、後述のユーザの制御命令を放送受信装置１００に転送することができる。そして、通信インターフェース部２１０は現在モバイルデバイス２００に対する固有識別コード、放送受信装置１００の動作モードに対応するＵＩウィンドウ及び現在の動作モードのサービスに関連した情報を受信することもできる。
【００４６】
ユーザインターフェース部２２０は、受信された動作モードに対応されるＵＩウィンドウを表示し、ユーザインターフェース部２２０には放送受信装置１００に対する制御命令が入力される。具体的に、ユーザインターフェース部２２０は放送受信装置１００で支援する各種機能をユーザが設定又は選択できる多数の機能キーを備え、放送受信装置１００を制御するための複数のＵＩウィンドウを表示することができる。ユーザインターフェース部２２０はタッチパッドのように入力と出力とが同時に実現される装置で実現されることができ、キーパッド及び表示装置の結合を通じた装置でも実現が可能である。これにより、ユーザは放送受信装置１００の動作モードに最適したＵＩウィンドウをユーザインターフェース部２２０から提供されることができ、これにより放送受信装置１００を容易に制御することができる。ここで動作モードは、ＴＶ視聴モード、映画モード、ゲームモード、インターネットモード、文字入力モード等のような放送受信装置１００で支援するサービスの例である。
【００４７】
保存部２３０は、通信インターフェース部２１０を介して受信した放送受信装置１００の動作モードの情報及び動作モードに対応するＵＩウィンドウを保存することができる。このような保存部２３０は、モバイルデバイス２００内の保存媒体及び外部の保存媒体、例えばＵＳＢメモリーを含めたＲｅｍｏｖａｂｌｅ  Ｄｉｓｋ、ネットワークを通じたウェブサーバ(Ｗｅｂ  Ｓｅｒｖｅｒ)等で実現されることができる。
【００４８】
制御部２４０は、入力された制御命令を放送受信装置に転送することができる。具体的に、制御部２４０はユーザインターフェース部２２０を介して入力されたユーザの制御命令に対応したサービスを放送受信装置１００が提供するように入力されたユーザの制御命令を放送受信装置１００に転送するように、通信インターフェース部２１０を制御することができる。この時、制御部２４０は現在の動作モードに対する情報及び制御命令を固有識別モードに暗号化して送受信するように通信インターフェース部２１０を制御することができる。実現時には、モバイルデバイス２００の固有識別コードにユーザ暗号等を付加して暗号化することもできる。
【００４９】
そして、制御部２４０はユーザインターフェース部２２０を介して入力される文字をリアルタイムで又はまとめて送信することができる。具体的に、制御部２４０は放送受信装置１００の動作モードが文字入力モードである場合、ユーザインターフェース部２２０を介してユーザの入力した文字をリアルタイムで又はまとめて転送されるように通信インターフェース部２１０を制御することができる。このような文字送信方法に関連しては、図４Ａ〜図４Ｇ及び図５Ａ〜図５Ｄを参考にして後述する。
【００５０】
そして、制御部２４０は放送受信装置１００の動作モードに対応したＵＩウィンドウを通信インターフェース部２１０を介して受信した場合、受信したＵＩウィンドウが表示されるようにユーザインターフェース部２２０を制御することができる。例えば、現在放送受信装置１００がユーザ毎に異なるＵＩウィンドウを通じてゲーム(例えば、ポーカーゲーム、花札ゲーム)が行われるべきサービスを提供している場合、制御部２４０は受信したＵＩウィンドウが表示されるようにユーザインターフェース部２２０を制御することができる。実現時には、現在の動作モードに対応されるＵＩウィンドウが予め保存されているとしても、受信されたＵＩウィンドウが優先的に表示されるように実現することができる。
【００５１】
そして、制御部２４０は現在の動作モードのサービスに関連した情報を放送受信装置１００から受信した場合、受信されたサービスに関連した情報を現在の動作モードに対応されるＵＩウィンドウと共に表示されるようにユーザインターフェース部２２０を制御することができる。具体的に、放送受信装置１００は上述のようにユーザに役立つ情報、例えば現在のチャネル情報、現在の音量の大きさ、プレイ時間、再生の残り時間、現在時刻、ＥＰＧ(Ｅｌｅｃｔｒｏｎｉｃ  Ｐｒｏｇｒａｍ  Ｇｕｉｄｅ)等を転送することができるため、制御部２４０はこれを現在の動作モードに対応されるＵＩウィンドウに共に表示されるようにユーザインターフェース部２２０を制御することができる。受信されたサービスに関連した情報は引き続き表示されることができ、予め設定された周期に応じて表示されたり、ユーザの操作に対応して表示されることもできる。
【００５２】
これにより、ユーザは放送受信装置の動作モードに応じて最適したＵＩウィンドウをモバイルデバイスから提供されることができ、これにより容易に放送受信装置を制御できるため、ユーザの便宜性を図ることができるようになる。
【００５３】
図２は、本実施例に係るホームネットワークシステム１０００の接続例を示した図である。図２を参考にすれば、ホームネットワークシステム１０００は放送受信装置１００、リモコン３０、モバイルデバイス２０１、２０２を含む。この時、放送受信装置１００とリモコン３０は片方向通信で接続されており、モバイルデバイス２０１及びモバイルデバイス２０２は両方向通信で放送受信装置１００と接続されている。従って、放送受信装置１００は片方向通信装置であるリモコンを介してユーザの制御命令を受信することができ、両方向通信装置であるモバイルデバイス２０１、２０２を介して制御命令を受信することができる。
【００５４】
一方、放送受信装置１００に複数のモバイルデバイス２０１、２０２が接続されることができるため、放送受信装置１００は各々のモバイルデバイス２０１、２０２に別途のＵＩウィンドウを提供してポーカーゲーム、花札ゲームのようなサービスも提供することができる。
【００５５】
図３Ａ〜図３Ｇは、放送受信装置及びモバイルデバイスの動作を説明するための図である。
【００５６】
図３Ａを参考にすれば、モバイルデバイス２００が放送受信装置１００に対して接続をトライする場合、放送受信装置１００はモバイルデバイス２００に対する固有識別コードを付与して接続確認を送信することができる。
【００５７】
そして、図３Ｂを参考にすれば、接続確認がなされたモバイルデバイス２００に対して放送受信装置１００は現在のＴＶサービス３１１を提供しているため、ＴＶ視聴の動作モードをモバイルデバイス２００に通知し、モバイルデバイス２００はＴＶ視聴の動作モードに対応したＵＩウィンドウ３２１をユーザに表示する。ＵＩウィンドウ３２１はＴＶ視聴モードに最適したＵＩウィンドウの例である。一方、放送受信装置１００が現在サービスを提供しない場合、例えばターン・オフ状態である場合、放送受信装置１００から動作モードの情報をモバイルデバイス２００が受信できなかった場合、モバイルデバイス２００はデフォルト動作モード(例えば、ＴＶ受信モード)に対応するＵＩウィンドウ３２１を表示することができる。
【００５８】
そして、図３Ｃを参考にすれば、表示されたＵＩウィンドウ３２２を通じてユーザがチャネルアップ命令を入力した場合、モバイルデバイス２００はチャネルアップ命令を放送受信装置１００に転送し、放送受信装置１００はユーザ命令に対応して上位チャネルに該当するサービス３１２をユーザに提供する。
【００５９】
そして、図３Ｄ及び図３Ｅを参考にすれば、ＵＩウィンドウ３１３の指示領域(マウス又はポインターが指す領域)に、ユーザが文字入力の必要な領域(検索領域)に移動する命令を入力した場合、図３Ｅに示されたように、放送受信装置１００の動作モードが文字入力モードに変更されたことを放送受信装置１００はモバイルデバイス２００に通知し、これに対応したＵＩウィンドウ３２４がモバイルデバイス２００に表示される。この時、ＵＩウィンドウ３２４はユーザの文字入力に最適したＵＩウィンドウの例である。
【００６０】
そして、図３Ｆ及び図３Ｇを参考にすれば、放送受信装置１００の動作モードが映画モード及びゲームモードで動作する場合のモバイルデバイス２００で表示されることのできるＵＩウィンドウの例である。この時、ＵＩウィンドウ３２５は映画モードで最適したＵＩウィンドウの例であり、ＵＩウィンドウ３２６はゲームモードに最適したＵＩウィンドウの例である。そして、ＵＩウィンドウ３２６は、放送受信装置１００が提供するゲームの種類に応じて各々のゲームに最適したＵＩウィンドウが適用されることができる。
【００６１】
図４Ａ〜図４Ｇ及び図５Ａ〜図５Ｄは、本実施例に係る放送受信装置における文字入力方法を説明するための図である。
【００６２】
図４Ａ〜図４Ｇを参考にすれば、モバイルデバイス２００から入力される文字がまとめて放送受信装置１００に転送される場合、放送受信装置１００及びモバイルデバイス２００のＵＩウィンドウの例が示されている。具体的に、ユーザが文字を入力することによってモバイルデバイス２００のＵＩウィンドウ４２０〜４２５は変化されるが、放送受信装置１００のＵＩウィンドウ４１０〜４１５には何の変化のないことが確認できる。しかし、ユーザが文字を入力し終えて転送４３０ボタンを押した場合、
（外１）
0006001722.tif 000002
の文字が放送受信装置１００に送信され、ＵＩウィンドウ４１６を通じて放送受信装置１００は受信された文字をまとめて受信して表示されることが確認できる。
【００６３】
図５Ａ〜図５Ｄを参考にすれば、モバイルデバイス２００から入力される文字がリアルタイムで放送受信装置１００に転送される場合、放送受信装置１００及びモバイルデバイス２００のＵＩウィンドウの例が示されている。具体的に、ユーザが文字を入力することによってモバイルデバイス２００のＵＩウィンドウ５２０〜５２３は変化し、これに対応されるように放送受信装置１００のＵＩウィンドウ５１０〜５１３も変化することが確認できる。
【００６４】
図５Ａ〜図５Ｄを説明するうえで、ＵＩウィンドウ５２０〜５２３に「表示される文字」が放送受信装置１００に転送されて表示される実施例について説明したが、ユーザの押した文字が段階的に伝達される形、例えば図５Ｂにおいて
【００６５】
（外２）
0006001722.tif 000003
が転送され、図５Ｃにおいて
【００６６】
（外３）
0006001722.tif 000004
が転送される形で実現されることができる。
【００６７】
そして、図４Ａ〜図４Ｇ及び図５Ａ〜図５Ｄを説明するうえで、ユーザの入力した文字が放送受信装置１００に「文字」の形で転送される実施例について説明したが、実現時にはモバイルデバイス２００からユーザの実際に入力した数字キーが放送受信装置１００に転送されることができ、放送受信装置１００ではこれを文字に変換してこれを表示する形でも実現されることができる。
【００６８】
図６は、本発明の一実施例に係るサービス提供方法を説明するためのフローチャートである。
【００６９】
先ず、放送受信装置１００と両方向通信を行うモバイルデバイス２００に対して固有識別コードを付与することができる(Ｓ６１０)。具体的に、放送受信装置１００には複数のモバイルデバイス２００が接続されることができ、複数のモバイルデバイス２００を区別するためにモバイルデバイス２００の各々に固有識別コードを付与することができる。このような固有識別コードは接続されたモバイルデバイスの順に従って付与されることができ、予め設定されたアルゴリズムを用いて付与されることもできる。なお、実現時に１つのモバイルデバイスのみが放送受信装置１００に接続される場合、固有識別コードの動作は省略されることができる。
【００７０】
そして、動作モードのうち現在の動作モードを判断することができる(Ｓ６２０)。具体的に、放送受信装置１００はＴＶ視聴モード、映画モード、ゲームモード、インターネットモード、文字入力モード等のような複数個の動作モードを支援するため、現在提供しているサービスを把握して複数個の動作モードのうち現在の動作モードを把握することができる。このような現在の動作モードの把握は、リアルタイムで行われることができ、ユーザの制御動作に対応して行われることもできる。一方、モバイルデバイス２００の制御命令が、サービスの提供されるＵＩウィンドウの予め設定された領域への位置変動である場合、動作モードが変更されたと認識し、予め設定された領域に対応する動作モードを把握することができる。
【００７１】
続いて、両方向通信を通じて判断された動作モードをモバイルデバイス２００に転送することができる(Ｓ６３０)。この時、モバイルデバイス２００に対して付与された固有識別コード及び判断された動作モードに対応される予め保存されたＵＩウィンドウ、現在の動作モードに関連した情報をモバイルデバイス２００に転送することもできる。一方、複数のモバイルデバイス２００が放送受信装置１００に接続されている場合、相互に異なるＵＩウィンドウをモバイルデバイス２００に転送することもできる。一方、動作モードを転送するうえで、モバイルデバイス２００に付与された固有識別コードを用いて判断された動作モードを暗号化して転送することもできる。
【００７２】
続いて、モバイルデバイスから制御命令を受信し(Ｓ６４０)、モバイルデバイスから受信した制御命令に従って選択された動作モードのサービスを提供することができる(Ｓ６５０)。
【００７３】
従って、本サービス提供方法は、遠隔地のモバイルデバイスを通じて放送受信装置を制御してサービスが受けられるため、ユーザの便宜性を図れるようになる。図６のようなサービス提供方法は、図１の構成を持つ放送受信装置上で実行されることができ、その他の異なる構成を持つ放送受信装置上でも実行されることができる。
【００７４】
図７は、本発明の一実施例に係る放送受信装置の制御方法を説明するためのフローチャートである。
【００７５】
先ず、両方向通信を通じて複数個の動作モードのうち現在の動作モードに対する情報を受信する(Ｓ７１０)。この時、現在のモバイルデバイス２００に対する固有識別コード、放送受信装置１００の動作モードに対応するＵＩウィンドウ及び現在の動作モードのサービスに関連した情報も受信することができる。一方、受信された動作情報は、モバイルデバイス２００に付与された固有識別コードを用いて暗号化されることができる。この場合、モバイルデバイス２００に付与された固有識別コードを用いてこれを解読して用いることができる。
【００７６】
そして、受信された動作モードに対応されるＵＩウィンドウを表示し(Ｓ７２０)、放送受信装置１００に対する制御命令が入力される(Ｓ７３０)。具体的に、ユーザには放送受信装置１００の動作モードに最適したＵＩウィンドウが提供され、これを通じて放送受信装置１００に対する制御命令が入力されることができる。一方、放送受信装置１００の動作モードに対応したＵＩウィンドウを受信ステップで受信した場合、受信したＵＩウィンドウを予め保存されたＵＩウィンドウの代わりに表示することができる。そして、現在の動作モードのサービスに関連した情報を受信ステップで受信した場合、受信されたサービスに関連した情報を現在の動作モードに対応されるＵＩウィンドウと共に表示することができる。具体的に、放送受信装置１００は上述のように、ユーザに役立つ情報、例えば現在のチャネル情報、現在の音量の大きさ、プレイ時間、再生の残り時間、現在時刻、ＥＰＧ(Ｅｌｅｃｔｒｏｎｉｃ  Ｐｒｏｇｒａｍ  Ｇｕｉｄｅ)等を転送することができるため、これを現在の動作モードに対応されるＵＩウィンドウに共に表示することができる。
【００７７】
そして、入力される制御命令を放送受信装置に転送する(Ｓ７４０)。具体的に、入力されたユーザの制御命令に対応したサービスを放送受信装置１００が提供するように、入力されたユーザの制御命令を放送受信装置１００に転送することができる。この時、転送される制御命令を固有識別コードに暗号化して送受信することができる。
【００７８】
最後に、放送受信装置から転送した制御命令に対するＡＣＫを受信したかを判断し(Ｓ７５０)、予め設定された時間の間にＡＣＫが受信されない場合、入力された制御命令を再送信することができる。実現時に、このようなＡＣＫの受信確認ステップは省略される形で実現されることができる。
【００７９】
従って、本放送受信装置の制御方法は、ユーザはモバイルデバイスで放送受信装置を動作モードに応じて容易に制御できるため、ユーザの便宜性を図れるようになる。図７のような放送受信装置の制御方法は、図１の構成を持つモバイルデバイス上で実行されることができ、その他の異なる構成を持つモバイルデバイス上でも実行されることができる。
【００８０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８１】
１３０  モード判断部
１５０  制御部
１４０  通信インターフェース部
１２０  保存部
１１０  ディスプレイ部
２１０  通信インターフェース部
２４０  制御部
２２０  ユーザインターフェース部
２３０  保存部
【図１】
0006001722.tif 000005
【図２】
0006001722.tif 000006
【図３Ａ】
0006001722.tif 000007
【図３Ｂ】
0006001722.tif 000008
【図３Ｃ】
0006001722.tif 000009
【図３Ｄ】
0006001722.tif 000010
【図３Ｅ】
0006001722.tif 000011
【図３Ｆ】
0006001722.tif 000012
【図３Ｇ】
0006001722.tif 000013
【図４Ａ】
0006001722.tif 000014
【図４Ｂ】
0006001722.tif 000015
【図４Ｃ】
0006001722.tif 000016
【図４Ｄ】
0006001722.tif 000017
【図４Ｅ】
0006001722.tif 000018
【図４Ｆ】
0006001722.tif 000019
【図４Ｇ】
0006001722.tif 000020
【図５Ａ】
0006001722.tif 000021
【図５Ｂ】
0006001722.tif 000022
【図５Ｃ】
0006001722.tif 000023
【図５Ｄ】
0006001722.tif 000024
【図６】
0006001722.tif 000025
【図７】
0006001722.tif 000026